(57)【要約】【課題】圧力センサがシリンダヘッド内に最適に組み込まれている新規のタイプの内燃機関を創出すること。【解決手段】シリンダヘッド（２）のうち圧力センサ（５）を受ける凹所（４）と圧力センサ（５）のうち凹所（４）に受けられるセンサ筐体（６）またはセンサアダプタ（８）とのそれぞれが、セクション（１１、１２）において円錐状に輪郭付けされており、セクションは、互いに向かい合い、シリンダの燃焼室（３）に隣接し、センサ筐体またはセンサアダプタにおいて円錐状に輪郭付けされたセクションの円錐角が、シリンダヘッド（２）のうち凹所を向く圧力センサを受ける凹所（４）において円錐状に輪郭付けされたセクション（１１）の円錐角よりも大きい。【選択図】図１
2019007487.tif 000002
【特許請求の範囲】
【請求項１】
内燃機関（１）であって、
シリンダヘッド（２）と、
少なくとも１つのシリンダと、
を備え、
前記シリンダのためのシリンダヘッド（２）には、給気のための少なくとも１つの入口側ガス交換弁と、排気のための少なくとも１つの排出側ガス交換弁と、前記シリンダの前記燃焼室（３）内の燃焼室側圧力を測定するための圧力センサ（５）と、が配設されており、
前記シリンダヘッド（２）のうち前記圧力センサ（５）を受ける凹所（４）と前記圧力センサ（５）のうち前記凹所（４）に受けられるセンサ筐体（６）またはセンサアダプタ（８）とのそれぞれが、セクション（１１、１２）において円錐状に輪郭付けされており、前記セクションが、互いに向かい合い、前記シリンダの燃焼室（３）に続き、
前記センサ筐体（６）または前記センサアダプタ（８）において円錐状に輪郭付けされた前記セクション（１２）の円錐角が、前記シリンダヘッド（２）のうち前記凹所を向く前記圧力センサ（５）を受ける前記凹所（４）において円錐状に輪郭付けされた前記セクション（１１）の円錐角よりも小さいことを特徴とする内燃機関。
【請求項２】
前記センサ筐体（６）または前記センサアダプタ（８）において円錐状に輪郭付けされた前記セクション（１２）の円錐角が、前記シリンダヘッド（２）のうち前記圧力センサ（５）を受ける前記凹所（４）において円錐状に輪郭付けされた前記セクション（１１）の円錐角よりも、５．０°から２．０°の間だけ、小さいことを特徴とする請求項１に記載の内燃機関。
【請求項３】
前記センサ筐体（６）または前記センサアダプタ（８）において円錐状に輪郭付けされた前記セクション（１２）の円錐角が、前記シリンダヘッド（２）のうち前記圧力センサ（５）を受ける前記凹所（４）において円錐状に輪郭付けされた前記セクション（１１）の円錐角よりも、１０．０°から１．０°の間だけ、小さいことを特徴とする請求項２に記載の内燃機関。
【請求項４】
前記シリンダヘッド（２）のうち前記圧力センサ（５）を受ける前記凹所（４）と前記圧力センサ（５）のうち前記シリンダヘッド（２）の前記凹所（４）内に受けられる前記センサ筐体（６）または前記センサアダプタ（８）とのそれぞれが、セクション（１３、１４）において筒状に輪郭付けされており、前記セクションが、互いに向かい合い、円錐状に輪郭付けされた前記セクション（１１、１２）よりも前記シリンダの前記燃焼室（３）からさらに離間しており、
前記センサ筐体（６）または前記センサアダプタ（８）において筒状に輪郭付けされた前記セクション（１４）の外径が、所定の隙間嵌めを形成し、前記圧力センサ（５）を受ける前記凹所において筒状に輪郭付けされた前記セクション（１３）の内径よりも小さいことを特徴とする請求項１から３のいずれか１項に記載の内燃機関。
【請求項５】
前記隙間嵌めを形成するため、前記センサ筐体（６）または前記センサアダプタ（８）において筒状に輪郭付けされた前記セクション（１４）の外径が、ｅ７寸法公差を有しており、前記圧力センサ（５）を受ける前記凹所において筒状に輪郭付けされた前記セクション（１３）の内径が、理想的な公称直径に対してＨ７寸法公差を有していることを特徴とする請求項４に記載の内燃機関。
【請求項６】
前記センサ筐体（６）または前記センサアダプタ（８）において筒状に輪郭付けされた前記セクション（１４）と前記センサ筐体（６）または前記センサアダプタ（８）において円錐状に輪郭付けされて隙間嵌めを形成する前記セクション（１２）との間には、外ネジ山（１７）が形成されており、
前記シリンダヘッド（２）のうち前記圧力センサ（５）を受ける前記凹所（４）が、隣接する筒状に輪郭付けされた前記セクション（１５）において、内ネジ山なく形成されていることを特徴とする請求項４または５に記載の内燃機関。
【請求項７】
前記センサ筐体（６）または前記センサアダプタ（８）の内側空間（７）を前記シリンダの前記燃焼室（３）に連結する凹所（１０）が、当該凹所（１０）の直径の０．５倍から１０．０倍に達する深さを有することを特徴とする請求項１から６のいずれか１項に記載の内燃機関。
【請求項８】
前記センサ筐体（６）または前記センサアダプタ（８）の前記内側空間（７）を前記シリンダの前記燃焼室（３）に連結する前記凹所（１０）が、当該凹所（１０）の直径の０．５倍から５．０倍に達する深さを有することを特徴とする請求項７に記載の内燃機関。
【発明の詳細な説明】
【技術分野】
【０００１】
本発明は、内燃機関に関する。
【背景技術】
【０００２】
実務から公知の内燃機関は、主として、複数のシリンダを備える。内燃機関のシリンダそれぞれに関して、給気のための少なくとも１つの入口側ガス交換弁及び排気のための少なくとも１つの排出側ガス交換弁は、それぞれの場合において、内燃機関のシリンダヘッド内に受けられている。ガスエンジンまたはデュアルフューエルエンジンにおいて、入口側ガス交換弁は、ガス−空気混合物をシリンダそれぞれの燃焼室内に導入するように機能する。
【発明の概要】
【発明が解決しようとする課題】
【０００３】
さらに、実務からすでに公知であることは、シリンダそれぞれの燃焼室内の燃焼室側圧力を検出するために、内燃機関のシリンダヘッドがシリンダそれぞれについての圧力センサを受けること、である。ここで、公知であることは、シリンダヘッドの対応する凹所内に圧力センサを配設し、圧力センサが、圧力センサのセンサ筐体に形成された外ネジ山を介して、シリンダヘッドの凹所内にある対応する内ネジ山と螺合されること、である。このような内ネジ山をシリンダヘッドのうち圧力センサそれぞれを受けるように機能する凹所に形成することは、複雑でありかつ高価である。
【課題を解決するための手段】
【０００４】
ここから開始して、本発明は、新規のタイプの内燃機関を創出することの目的に基づいており、この内燃機関では、圧力センサがシリンダヘッド内に最適に組み込まれている。この目的は、請求項１にかかる内燃機関によって解決される。
【０００５】
本発明によれば、シリンダヘッドのうち圧力センサを受ける凹所と圧力センサのうち凹所に受けられるセンサ筐体またはセンサアダプタとのそれぞれは、セクションにおいて円錐状に輪郭付けされており、これらセクションは、互いに向かい合い、シリンダの燃焼室に続き、センサ筐体またはセンサアダプタにおいて円錐状に輪郭付けされたセクションの円錐角は、シリンダヘッドのうち圧力センサを受ける凹所において円錐状に輪郭付けされたセクションの円錐角よりも小さい。本発明に従ってシリンダヘッドのうち圧力センサを受ける凹所において及びセンサ筐体または圧力センサのセンサアダプタにおいて円錐状に輪郭付けされたセクションを輪郭付けすることによって、特に圧力センサを受ける凹所の領域において内ネジ山を必要とすることなく、シリンダヘッド内の圧力センサの最適な密閉を実現し得る。
【０００６】
好ましくは、センサ筐体またはセンサアダプタにおいて円錐状に輪郭付けされたセクションの円錐角は、シリンダヘッドのうち圧力センサを受ける凹所において円錐状に輪郭付けされたセクションの円錐角よりも、５．０°から２．０°の間だけ、小さい。これにより、シリンダヘッドと圧力センサとの間の特に良好な密閉効果が可能になる。
【０００７】
有利なさらなる展開によれば、圧力センサを受ける凹所と圧力センサのうち凹所内に受けられるセンサ筐体またはセンサアダプタとのそれぞれは、セクションにおいて筒状に輪郭付けされており、これらセクションは、互いに向かい合い、円錐状に輪郭付けされたセクションよりもシリンダの燃焼室からさらに離間しており、センサ筐体またはセンサアダプタにおいて筒状に輪郭付けされたセクションの外径は、所定の隙間嵌めを形成し、圧力センサを受ける凹所において筒状に輪郭付けされたセクションの内径よりも小さい。この所定の隙間嵌めの領域において、シリンダ筐体と圧力センサとの間の密閉効果をさらに改善し得る。さらに、圧力センサからシリンダヘッドへ熱を最適に放散させ得る。
【０００８】
好ましくは、センサ筐体またはセンサアダプタにおいて筒状に輪郭付けされたセクションの外径の公称直径とシリンダヘッドのうち圧力センサを受ける凹所において筒状に輪郭付けされたセクションの外径の公称直径とは、同じであり、センサ筐体またはセンサアダプタにおいて筒状に輪郭付けされたセクションの外径は、ｅ７寸法公差を有し、圧力センサを受ける凹所において筒状に輪郭付けされたセクションの外径は、Ｈ７寸法公差を有する。このような隙間嵌めは、最適な密閉効果および最適な熱放散を提供することに関して特に好ましい。
【０００９】
好ましくは、センサ筐体またはセンサアダプタにおいて筒状に輪郭付けされたセクションとセンサ筐体またはセンサアダプタにおいて円錐状に輪郭付けされ、隙間嵌めを形成するセクションとの間には、外ネジ山が形成され、シリンダヘッドのうち圧力センサを受ける凹所には、同様に筒状に輪郭付けされた隣接するセクションにおいて、内ネジ山が形成されていない。
【００１０】
有利なさらなる展開によれば、センサ筐体またはセンサアダプタの内側筐体をシリンダの燃焼室と連結する凹所は、この凹所の直径の０．５倍から１０．０倍に達する深さを有する。これにより、圧力センサによる特に良好な信号受信ひいてはシリンダの燃焼室側圧力の特に良好な検出を保証する。
【００１１】
好ましくは、センサ筐体またはセンサアダプタの内側筐体をシリンダの燃焼室と連結する凹所は、この凹所の直径の０．５倍から５．０倍、特に好ましくは１．０倍から２．０倍の間に達する深さを有する。これら特徴は、圧力センサによって提供され得る測定品質または信号品質をさらに最適化するように機能する。
【００１２】
本発明の好ましいさらなる展開は、従属請求項及び以下の説明から得られる。本発明の例示的な実施形態は、図面を用いてより詳細に説明されるが、これに限定されない。
【図面の簡単な説明】
【００１３】
【図１】内燃機関のシリンダヘッドを示す断面図であって、圧力センサを受けるように機能する凹所の領域を抽出した断面図である。
【図２】圧力センサ、特に圧力センサのセンサ筐体を示す詳細図である。
【図３】図２の詳細を示す断面図である。
【図４】センサアダプタを示す斜視図である。
【図５】図４のセンサアダプタを通る断面図である。
【図６】図５の詳細図である。
【発明を実施するための形態】
【００１４】
本発明は、少なくとも１つのシリンダを有する内燃機関に関する。
【００１５】
図１は、内燃機関１から内燃機関のシリンダヘッド２の領域を抽出した図である。内燃機関１のシリンダヘッド２は、シリンダそれぞれに関して、少なくとも１つの入口側ガス交換弁と、少なくとも１つの排出側ガス交換弁と、を受ける。入口側ガス交換弁及び排出側ガス交換弁は、図１に示されていない。
【００１６】
入口側ガス交換弁を利用して、少なくとも給気とガスエンジンの及びガスモードで動作されたデュアルフューエルエンジンの場合において給気に加えて燃料とは、同様に、シリンダそれぞれの燃焼室３内に導入され得る。排出側ガス交換弁を利用して、排気は、シリンダの燃焼室３から放出され得る。
【００１７】
図１は、圧力センサ５のための凹所４において、内燃機関１のシリンダヘッド２を通る断面を示しており、圧力センサ５は、シリンダヘッド２の凹所４内に受けられており、シリンダそれぞれの燃焼室３内の燃焼室側圧力を測定するように機能する。
【００１８】
図２及び図３は、シリンダヘッド２の凹所４内に受けられた圧力センサ５の詳細、特に、圧力センサ５のセンサ筐体６の詳細を示している。センサ筐体６は、圧力センサ５の組立体であって図示しない実際の圧力測定を提供する組立体を受けるための内部空間７を画成している。
【００１９】
本発明によれば、シリンダヘッド２のうち圧力センサ５それぞれを受ける凹所４と圧力センサ５のうち受容凹所４内に受けられたセンサ筐体６とのそれぞれは、セクション１１、１２において円錐状に輪郭付けされており、これらセクションは、互いに向き合い、シリンダそれぞれの燃焼室３に隣接するが、互いにずれた円錐角を有しており、シリンダヘッド２のうち圧力センサ５を受ける凹所４において円錐状に輪郭付けされたセクション１１の円錐角α１は、センサ筐体６において円錐状に輪郭付けされたセクション１２の円錐角α２よりも大きい。したがって、円錐角α２は、円錐角α１よりも小さい。
【００２０】
センサ筐体６において円錐状に輪郭付けされたセクション１２の円錐角α２は、シリンダヘッド２のうち圧力センサ５を受ける凹所４における円錐状に輪郭付けされたセクション１１の円錐角α１よりも５．０°から２．０°の間だけ小さい。好ましくは、センサ筐体の円錐角は、５．０°から２．０°の間だけ、特に好ましくは、１０．０°から１．０°の間だけ、シリンダヘッド２の凹所４の領域における円錐角α１よりも小さい。
【００２１】
圧力センサ５のセンサ筐体６の領域において及びシリンダヘッド２のうち圧力センサ５を受ける凹所４の領域においてこのような態様で寸法付けられた円錐角α１及びα２を用いて、特にシリンダヘッド２の凹所４が内ネジ山を有する必要なく、シリンダヘッド２と圧力センサ５との間の最適な密閉を形成し得る。
【００２２】
有利なさらなる展開によれば、圧力センサ５それぞれを受ける凹所４と圧力センサ５のセンサ筐体６とは、セクション１３、１４において筒状に輪郭付けされており、これらセクションは、互いを向き、円錐状に輪郭付けされたセクション１１、１２よりも、シリンダそれぞれの燃焼室３からさらに間隔をあけており、圧力センサ５のうちセンサ筐体６において筒状に輪郭付けされたセクション１４の外径ｄ２は、シリンダヘッド２と隙間嵌めを形成しており、シリンダヘッド２のうち圧力センサ５を受ける凹所４において筒状に輪郭付けされた対応するセクション１３の内径ｄ１よりも小さい。
【００２３】
特に好ましくは、直径ｄ１及びｄ２、すなわち、筒状に輪郭付けされたセクション１３及び１４の直径は、同じ公称直径を有しており、センサ筐体６において筒状に輪郭付けされたセクション１４の外径ｄ３は、ｅ７寸法公差を有し、シリンダヘッド２のうち圧力センサ５を受ける凹所４において筒状に輪郭付けされたセクション１３の内径ｄ１は、Ｈ７寸法公差を有する。これにより、圧力センサ５とシリンダヘッド２との間の密閉効果は、特に調整され得、さらに一方で、圧力センサ５からシリンダヘッド２への最適な熱伝達は、さらに可能となる。
【００２４】
圧力センサ５の、特に圧力センサ５のセンサ筐体６の領域において、外ネジ山１７を有する筒状に輪郭付けされたさらなるセクション１６は、筒状に輪郭付けされたセクション１４と円錐状に輪郭付けされたセクション１２との間に形成されており、隙間嵌めを形成する。
【００２５】
圧力センサ５にあるこのような外ネジ山１７は、製造者による圧力センサ５の較正に有利である。
【００２６】
シリンダヘッド２のうち圧力センサ５を受けるように機能する凹所における筒状に輪郭付けされた対応するセクション１５は、組立状態において圧力センサ５のシリンダ筐体６の外ネジ山１７に向かい合って位置しており、内ネジ山を有しておらず、したがって、内ネジ山なく具現化されている。これは、シリンダヘッド２の簡素な製造に好ましい。上述した凹所４及びセンサ筐体６における円錐状に輪郭付けされたセクション１１、１２並びに筒状に輪郭付けされたセクション１３及び１４からなる構成のため、凹所４の領域内の内ネジ山を省略し得る。
【００２７】
センサ筐体６の内部空間７は、凹所１０を介してシリンダそれぞれの燃焼室３に連結され得る。この凹所１０は、センサ筐体６の内部空間から開始して円錐状に輪郭付けされたセクション１２の端部に向けて延在する。この凹所１０は、直径ｄ３及び長さｌ３を有する。シリンダの燃焼室３内に存在する圧力を最適に受信することをできるようにするため、深さｌ３は、凹所１０の直径ｄ３の０．５倍から１０倍の間、好ましくは０．５倍から５．０倍の間、より好ましくは１．０倍から２．０倍の間に達する。
【００２８】
本発明は、特に、センサアダプタ８を介して従来の圧力センサ５をシリンダ筐体６にある凹所４内に導入する場合に、実施され得る。図４、図５及び図６は、このようなセンサアダプタ８の詳細を示す。
【００２９】
この場合において、圧力センサ５のセンサ筐体６に関連して上述した詳細は、センサアダプタ８に関連しており、センサアダプタ８の円錐角α４は、センサ筐体６の円錐角α２に対応し、センサアダプタの凹所１０の長さｌ５及び直径ｄ５は、センサ筐体６の凹所１０の直径ｄ３及び深さｌ３に対応する。
【００３０】
したがって、不必要な繰り返しを避けるため、センサアダプタ８並びにセンサアダプタのセクション１２、１４及び１６の構成及び輪郭付けについて、並びに、センサアダプタの凹所１０の寸法付けについて、図２及び図３のセンサ筐体６及び圧力センサ５に関する上記説明を参照する。
【００３１】
したがって、図４から図６の例示的な実施形態において事実であることは、円錐角α４が、円錐角α１よりも大きい、特に０．２°から２．０°の間だけ、好ましくは０．４°から２．０°の間だけ、特に好ましくは０．４°から１．０°の間だけ、円錐角α１よりも大きい、ことである。さらに真実であることは、シリンダヘッド２と隙間嵌めを形成する外径ｄ４が、内径ｄ１よりも小さい、ことである。さらに、深さｌ５は、直径ｄ５の０．５倍から１０倍の間、好ましくは０．５倍から５．０倍の間、より好ましくは１．０倍から２．０倍の間に達する。
【００３２】
本発明によれば、内燃機関１のシリンダヘッド２内に圧力センサ５を最適に組み込むことができる。圧力センサ５は、ガス密態様でシリンダヘッド２にある凹所内に組み込まれ得、特に、最適な熱伝達および最適な信号品質を保証する。
【００３３】
圧力センサ５は、好ましくは、圧電型圧力センサである。
【符号の説明】
【００３４】
１  内燃機関
２  シリンダヘッド
３  燃焼室
４  凹所
５  圧力センサ
６  センサ筐体
７  内部空間
８  センサアダプタ
９  内部空間
１０  凹所
１１  円錐状セクション
１２  円錐状セクション
１３  筒状セクション
１４  筒状セクション
１５  筒状セクション
１６  筒状セクション
１７  外ネジ山
【図１】
2019007487.tif 000003
【図２】
2019007487.tif 000004
【図３】
2019007487.tif 000005
【図４】
2019007487.tif 000006
【図５】
2019007487.tif 000007
【図６】
2019007487.tif 000008
【外国語明細書】
2019007487000001.pdf